(57)【要約】      （修正有）【課題】胴体背面における外側部分をマッサージ可能として、胸を十分に開くことができるマッサージ機を提供する。【解決手段】使用者が凭れる背凭れ部４と、使用者の胴体背面における外側部分を押圧する左右対の第１マッサージ部材Ａ１と、背凭れ部４の外側方に位置し、第１マッサージ部材Ａ１を支持する支持部材６と、を有する。より具体的には、第１マッサージ部材Ａ１は、左右方向外側が支持部材６に固定された固定端部６３ａとし、左右方向内側が前方へ動作する自由端部６３ｂとして構成する。【選択図】図２
2014018535.tif 000002
【特許請求の範囲】
【請求項１】
使用者が凭れる背凭れ部と、
使用者の胴体背面における外側部分を押圧する左右対の第１マッサージ部材と、
前記背凭れ部の外側方に位置し、前記第１マッサージ部材を支持する支持部材と、
を有することを特徴とするマッサージ機。
【請求項２】
前記第１マッサージ部材は、左右方向外側が前記支持部材に固定された固定端部とし、左右方向内側が前方へ動作する自由端部として構成されていることを特徴とする請求項１に記載のマッサージ機。
【請求項３】
前記第１マッサージ部材は、エアの給排気により膨張収縮するエア式マッサージ器であり、左右方向外側を支点として内側が前方へ動作するよう構成されていることを特徴とする請求項２に記載のマッサージ機。
【請求項４】
前記第１マッサージ部材は、エアセルと、当該エアセルを保持する保持部と、を有し、
前記エアセルは、前記保持部を介して前記支持部材に支持されていることを特徴とする請求項３に記載のマッサージ機。
【請求項５】
前記支持部材は、使用者の腕部を載置することができる肘掛け部であることを特徴とする請求項１〜４のいずれかに記載のマッサージ機。
【請求項６】
使用者の上腕部及び／又は肩部を側方又は略前方から押圧する左右対の第２マッサージ部材を有していることを特徴とする請求項１〜５のいずれかに記載のマッサージ機。
【請求項７】
前記第１マッサージ部材の下方に設けられ、使用者の胴体外側面を押圧する左右対の第３マッサージ部材を有していることを特徴とする請求項１〜６のいずれかに記載のマッサージ機。
【発明の詳細な説明】
【技術分野】
【０００１】
本発明はマッサージ機に関する。より詳しくは、使用者の胴体背面における外側部分をマッサージでき、胸を十分に開いてストレッチ効果を高めることができるマッサージ機に関する。
【背景技術】
【０００２】
従来、座部２と、背凭れ部３と、背凭れ部３に左右で対をなして設けられた押圧施療袋５，５と、を備えた椅子式エアーマッサージ装置１が知られている。この押圧施療袋５，５は、左右の外側部分がビス５１で止着されており、エアが供給されることにより、被施療部位を双方外側方向へ押し広げる方向に膨張するため、使用者に対してストレッチ効果を与えることができる（例えば、特許文献１の図１，及び図５参照）。
【先行技術文献】
【特許文献】
【０００３】
【特許文献１】特開２００２−０１７８０３号公報
【発明の概要】
【発明が解決しようとする課題】
【０００４】
しかし、上記特許文献１の椅子式エアーマッサージ装置１は、押圧施療袋５を背凭れ部３に設ける構成であるため、背凭れ部３の左右幅寸法の制約上、対の押圧施療袋５，５を近接して配置せざるを得ない。従って、押圧施療袋５は胴体背面における左右方向中央部分を押圧することとなり、胴体背面における外側部分をマッサージすることができず、十分に胸を開くことができないという問題がある。
【０００５】
そこで本発明は、上述した問題を解消するためになされたものであり、対の第１マッサージ部材を左右方向に離間して配置させることにより、胴体背面における外側部分をマッサージ可能として、胸を十分に開くことができるマッサージ機を提供することを目的とする。
【課題を解決するための手段】
【０００６】
本発明は、使用者が凭れる背凭れ部と、使用者の胴体背面における外側部分を押圧する左右対の第１マッサージ部材と、前記背凭れ部の外側方に位置し、前記第１マッサージ部材を支持する支持部材と、を有することを特徴とする。
このような構成とすることにより、対の第１マッサージ部材を離間して配置させることができる。従って、胴体背面における外側部分（例えば、胴体と腕部の付け根付近）をマッサージ可能であり、胸を十分に開いてストレッチ効果を高めることができる。また、背凭れ部自体の大型化を防止することができる。
【０００７】
また、前記第１マッサージ部材は、左右方向外側が前記支持部材に固定された固定端部とし、左右方向内側が前方へ動作する自由端部として構成されていることが好ましい。
このような構成とすることにより、第１マッサージ部材の左右方向内側部分を外側に向けて動作させることができる。従って、使用者の胸を十分に開くことができ、ストレッチ効果が高まる。
【０００８】
また、前記第１マッサージ部材は、エアの給排気により膨張収縮するエア式マッサージ器であり、左右方向外側を支点として内側が前方へ動作するよう構成されていることが好ましい。
このような構成とすることにより、簡単な構成で、使用者の胴体背面における外側部分を左右方向外方に向けて押圧することができる。従って、使用者の胸を十分に開くことができ、ストレッチ効果が高まる。
【０００９】
また、前記第１マッサージ部材は、エアセルと、当該エアセルを保持する保持部と、を有し、前記エアセルは、前記保持部を介して前記支持部材に支持されていることが好ましい。
このような構成とすることにより、第１マッサージ部材を支持部材（例えば肘掛け部）に固定するために、保持部に固定端部を設ければ、エアセルには固定端部を設ける必要がない。従って、エアセルを支持部材に固定するビス等を必要とせず、支持部材に身体部位（例えば腕部）を載置した場合であっても、当該部位に不快感を与えることがない。
【００１０】
また、前記支持部材は、使用者の腕部を載置することができる肘掛け部であることが好ましい。
このような構成とすることにより、支持部材は、第１マッサージ部材を支持することができるとともに、使用者の腕部も支持することができる。
【００１１】
また、使用者の上腕部及び／又は肩部を側方又は略前方から押圧する左右対の第２マッサージ部材を有していることが好ましい。
このような構成とすることにより、第１マッサージ部材による胴体背面における外側部分の押圧と、第２マッサージ部材による上腕部及び／又は肩部の側方又は略前方からの押圧と、が協働することにより、第１マッサージ部材の押圧により胴体全体が前方へ移動してしまうことを阻止し、使用者の胸をより効果的に開くことができるため、ストレッチ効果が更に高まる。
【００１２】
また、前記第１マッサージ部材の下方に設けられ、使用者の胴体外側面を押圧する左右対の第３マッサージ部材を有していることが好ましい。
このような構成とすることにより、使用者の腰部付近を第３マッサージ部材で挟持することができる。従って、第１マッサージ部材の押圧により使用者の胴体全体が前方へ移動してしまうことを阻止し、使用者の胸をより効果的に開くことができるため、ストレッチ効果が更に高まる。
【発明の効果】
【００１３】
本発明によれば、使用者の胴体背面における外側部分をマッサージでき、胸を十分に開いてストレッチ効果を高めることができる。
【図面の簡単な説明】
【００１４】
【図１】本発明の一実施形態に係るマッサージ機を示す図である。
【図２】背凭れ部及び肘掛け部を示す図である。
【図３】座部、背凭れ部、及び肘掛け部を示す図である。
【図４】背パッドを示す図である。
【図５】座部を示す図である。
【図６】マッサージ機の構成を示すブロック図である。
【図７】マッサージ機の動作パターン１の説明図である。
【図８】マッサージ機の動作パターン２の説明図である。
【図９】マッサージ機の動作パターン３の説明図である。
【図１０】マッサージ機の動作パターン４の説明図である。
【図１１】本発明の他の実施形態に係るマッサージ機の背凭れ部を示す図である。
【発明を実施するための形態】
【００１５】
［全体構成］
以下、本発明の一実施形態に係るマッサージ機１の全体構成について説明する。図１は、本発明の一実施形態に係るマッサージ機１を示す図である。図２は、背凭れ部４及び肘掛け部６を示す図である。図３は、座部３、背凭れ部４、及び肘掛け部６を示す図である。図４は、背パッド４１を示す図である。図５は、座部３を示す図である。図６は、マッサージ機１の構成を示すブロック図である。また、図１は斜視図であり、図２は略前方から見た図であり、図３は図１に示す矢視ａの方向（略上方）から見た図である。また、図１〜図３では、視認性を考慮して背パッド４１の図示を省略している。
なお、以下の説明で用いる方向の概念は、図１に示す起立状態のマッサージ機１の座部３に着座した使用者から見たときの方向の概念と一致するものとし、その他の場合は適宜説明するものとする。
【００１６】
図１に示すとおり、本発明のマッサージ機１は、主として、使用者が着座する座部３と、座部３の後部にリクライニング可能に設けられた使用者が凭れる背凭れ部４と、座部３の前部に上下揺動回動可能に設けられた使用者の脚部を支持するフットレスト５と、座部３の左右両側に設けられた使用者が腕部を載置する肘掛け部６と、により構成される椅子本体２と、この椅子本体２を支持するとともに床面に設置される脚フレーム７と、を有している。そして、背凭れ部４内には、左右方向中央部において身長方向に沿って昇降可能、且つ前後方向に進退可能に構成された、使用者の背部をマッサージするマッサージ機構８が設けられている。
【００１７】
図１〜図４に示すとおり、座部３、背凭れ部４、フットレスト５、及び肘掛け部６には、エアの給排気により膨張収縮し、対応する部位をそれぞれマッサージするエアセルａ１〜ａ９が設けられている。詳細は後述するが、本発明の課題を解決するために特に重要となるエアセルは、肘掛け部６に設けられた第１マッサージ部材Ａ１としての背部用エアセルａ１、同じく肘掛け部６に設けられた第２マッサージ部材Ａ２としての保持用エアセルａ２、背凭れ部４に設けられた第３マッサージ部材Ａ３としての腰部用エアセルａ３である。
【００１８】
［背凭れ部の構成］
背凭れ部４は、座部３の下方に設けられ前後方向に伸縮する直動式の第１アクチュエータ９（図６参照）により、座部３に対して前後方向にリクライニング可能に構成されており、床面に対して略水平の状態と、座部３の座面３ａに対して略垂直に起立した状態と、の間における任意の位置で停止できるようになっていることが好ましい。また、背凭れ部４は、前後方向に開口する開口部４０ａを有する背凭れ部本体４０と、背凭れ部本体４０の前方に配設され伸縮性を有するレザー等よりなる背パッド４１（図４参照）と、により構成されている。背凭れ部本体４０には、図６に示す昇降駆動部（昇降モータＭ１）を駆動させることにより、上下方向に延びる左右で対をなすガイドレール（図示せず）に沿って昇降し、図６に示す進退駆動部（進退モータＭ２）を駆動させることにより、前後方向に進退するマッサージ機構８が設けられていることが好ましい。
【００１９】
マッサージ機構８は、左右で対をなし前後方向に揺動可能であるアーム８ａと、アーム８ａの上下先端に設けられた施療子８ｂと、を有しており、図６に示す揉みモータＭ３や叩きモータＭ４の駆動により、アーム８ａを左右前後に動作させて揉みや叩きを行わせることができる。また、図６に示すとおり、マッサージ機構８は、アーム８ａに取り付けられた使用者の肩位置を検出する肩位置検出センサ８ｃを備えている。そして、アーム８ａが所定の揺動角度になったことを肩位置検出センサ８ｃが検出することにより使用者の肩位置が検出される。しかも、検出された肩位置に基づいて、後述する制御部１５が背部における腰部等の特定部位を判別可能に構成されている。
【００２０】
図４に示すとおり、背パッド４１の内部には、第３マッサージ部材Ａ３として腰部に位置する腰部用エアセルａ３が設けられている。図９に示すとおり、腰部用エアセルａ３は、開口部４０ａ（図１も参照）側である内側を固定端部ａ３０として外側が立ち上がるように膨張して、胴体（腰部）の側部を左右方向から挟持するよう構成されている。従って、腰部用エアセルａ３を膨張させると、使用者の胴体を背凭れ部４に保持することができる。
【００２１】
［座部の構成］
図１及び図５に示すとおり、座部３は、金属等よりなる硬質の座受け部３０と、座受け部３０の上部に設けられて使用者の臀部及び大腿部を支持するウレタン等よりなる軟質のクッション部３１と、を有している。また、座部３の座面３ａは前上がり傾斜状に形成されており、着座した使用者の重心は後方成分を有することとなる。そして、クッション部３１の後部には、臀部に対応する左右で対をなすエアセルａ５，ａ６が設けられており、クッション部３１の前部には、大腿部に対応する左右で対をなすエアセルａ７が設けられている。左右のエアセルａ５，ａ６は、所定間隔を存して、それぞれ内側を固定端部ａ５１，ａ６１として外側が立上るよう構成されている。図１に示すとおり、クッション部３１と各エアセルａ５〜ａ７は、レザー等よりなるカバー部３２により一体的に被覆されている。
【００２２】
すなわち、左側の臀部用エアセルａ５が膨張すると、臀部の左側部を略右上方へ押し上げることとなり、右側の臀部用エアセルａ６が膨張すると、臀部の右側部を略左上方へ押し上げることとなる。従って、臀部を左右いずれか一方に傾けながら押し上げることとなり、骨盤部分に効果的なひねり動作を与えることができる。一方、左右の大腿部用エアセルａ７，ａ７は、左右方向に近接して位置しており、それぞれ後側を固定端部ａ７１として前側が立上るよう構成されている。しかも、大腿部用エアセルａ７は、その押圧面ａ７０が前上がり傾斜状の座面３ａに対して略後方に向かって膨張するよう構成されている。すなわち、大腿部用エアセルａ７が膨張すると、股関節を支点として大腿部を略後上方へ押し上げることとなる。従って、股関節を支点として大腿部を略後方へ十分移動させることができ、大腿部を胸に引き付けるようなストレッチ感覚を与えることができる。また、胴体を背凭れ部４側へと押し付けることができ、適正な着座姿勢に矯正することができる。
【００２３】
また、臀部用エアセルａ５，ａ６及び大腿部用エアセルａ７は、上下に複数（本実施形態では２つ）のエアセルが重合して、臀部用エアセル群及び大腿部用エアセル群が構成されている。従って、各エアセルａ５〜ａ７の膨張量を大きくすることができ、臀部及び大腿部の移動量を十分に確保することができる。
【００２４】
［フットレストの構成］
フットレスト５は、座部３の下方に設けられ前後方向に伸縮する直動式の第２アクチュエータ１０（図６参照）により、座部３に対して上下方向に回動可能に構成されており、膝を曲げて脚部を載置する垂下状態と、膝を伸ばして脚部を載置する上昇状態と、の間における任意の位置で停止できるようになっていることが好ましい。更に、フットレスト５は、図示しない伸縮機構により座部３に対して使用者の脚部の長手方向に沿って伸縮可能に構成されていることが好ましい。
【００２５】
図１に示すとおり、フットレスト５は、使用者の脹脛部を保持する脹脛保持部５０と、脹脛保持部５０の足先側に設けられ使用者の足部を保持する足保持部５１と、を有しており、左右の脚部を振り分けて各保持部５０，５１に保持しうるよう凹状溝が形成されている。脹脛保持部５０は、脹脛部の背面が対向する底壁５０ａと、脹脛部の外側面が対向する左右で対をなす外壁５０ｂと、対の外壁５０ｂ，５０ｂ間に設けられ脹脛部の内側面が対向する中間壁５０ｃと、により構成されている。足保持部５１は、足裏面が対向する底壁５１ａと、足部の外側面が対向する左右で対をなす外壁５１ｂと、対の外壁５１ｂ，５１ｂ間に設けられ足部の内側面が対向する中間壁５１ｃと、により構成されている。そして、各壁部の壁面には、脹脛部用エアセルａ８及び足部用エアセルａ９が設けられている。
【００２６】
［肘掛け部（支持部材）の構成］
肘掛け部６は、座部３の両側方に設けられており、座部３の下方を外方からカバーする側面パネル６０と、側面パネル６０の上部に一体的に設けられ使用者の前腕部を保持する前腕保持部６１及び上腕部を保持する上腕保持部６２と、を有している。上腕保持部６２は、その上端部において回動軸（図示せず）を介して背凭れ部４の側面に連結されている。また、側面パネル６０は、座部３の側方おいて脚フレーム７にガイド機構（図示せず）を介して移動可能に取り付けられている。従って、肘掛け部６は、背凭れ部４のリクライニングに追従して、上下方向に角度を変更しながら前後方向に移動することができる。また、前腕保持部６１及び上腕保持部６２には、複数のエアセルａ１，ａ２，ａ４が設けられている。
【００２７】
図１〜図３に示すとおり、前腕保持部６１は、座部３の側方において前後方向へ延設されており、使用者の前腕部を載置する底壁６１ａと、底壁６１ａの外側端部から立設され前腕部の外側面に対向する側壁６１ｂと、底壁６１ａに対向する上壁６１ｃと、により構成され、正面視で略コの字状に形成されている。底壁６１ａ及び上壁６１ｃには、前腕部を上下方向から押圧する前腕部用エアセルａ４が設けられている。本実施形態では、前腕部用エアセルａ４は、腕部の長さ方向に複数設けられている。
【００２８】
図１〜図３に示すとおり、上腕保持部６２は、背凭れ部４の側方において前後方向へ延設されており、上腕部を載置する底壁６２ａと、底壁６２ａの外側端部から立設され上腕部の外側面に対向する側壁６２ｂと、により構成され、正面視で略Ｌ字状に形成されている。底壁６２ａにおける上腕部の当接面は、側面視で前下がり傾斜しており、背凭れ部４の前面（すなわち背パッド４１の前面）と略面一を形成している。側壁６２ｂには、上腕部及び／又は肩部を側方又は略前方から押圧することにより、後述する第１マッサージ部材Ａ１の動作に伴う胴体全体の移動を阻止する第２マッサージ部材Ａ２としての保持用エアセルａ２が設けられている。
【００２９】
肘掛け部６の一部である上腕保持部６２には、使用者の胴体背部における外側部分を押圧する第１マッサージ部材Ａ１が設けられている。すなわち、上腕保持部６２は、使用者の上腕部を支持する機能に加えて、第１マッサージ部材Ａ１を支持する支持部材としても機能している。以下、この第１マッサージ部材Ａ１の構成について詳述する。
【００３０】
第１マッサージ部材Ａ１は、エアの給排気により膨張収縮する背部用エアセルａ１と、背部用エアセルａ１を内部に保持する袋状に形成された保持部６３と、により構成されている。この保持部６３は、例えば、背パッド４１と同様に、伸縮性を有するレザー等より構成されている。また、左右方向外側を面ファスナーやホック等により上腕保持部６２に固定された固定端部６３ａとし、左右方向内側を背部用エアセルａ１の膨張収縮に追従して前方へ動作（移動又は変形）することができる自由端部６３ｂとして構成されている。また、この第１マッサージ部材Ａ１は、上腕保持部６２から背凭れ部４に跨って設けられており、背部用エアセルａ１は背凭れ部４の前面に位置している。
【００３１】
このように構成された第１マッサージ部材Ａ１は、背部用エアセルａ１が膨張することにより、左右方向外側を支点として内側が前方へ動作（移動又は変形）して、使用者の胴体背面における外側部分を押圧することとなる。従って、使用者の胸を十分に開くことができ、ストレッチ効果を高めることができる。また、第１マッサージ部材Ａ１は、背部用エアセルａ１の前面に設けられ、突起を備えた指圧子を有していてもよい。この場合、指圧子は保持部６３に対して出し入れ自在に構成することが好ましい。
【００３２】
［制御部の構成］
図６に示すように、上述した各エアセルａ１〜ａ９は、可撓性中空のエアチューブを介してポンプ１３及びバルブ１４等からなる給排気装置１２に接続されている。この給排気装置１２は座部３の下方に収容されており、同じく座部３の下方に収容された制御部１５からの指示に従って駆動し、各エアセルａ１〜ａ９への給排気を互いに独立して行うことができるようになっている。そして、制御部１５からの指示により給排気装置１２が駆動し、エアセルａ１〜ａ９が膨張収縮することにより、使用者の各部位を押圧可能である。本実施形態では、各エアセルａ１〜ａ９は、それぞれ独立系統として給排気装置１２に接続されており、制御部１５により独立して動作制御される。
【００３３】
また、給排気装置１２は、制御部１５からの指示に従って予め設定されたプログラムにより動作する他、制御部１５に接続されたリモートコントローラ１６を使用者が操作することにより制御部１５へ入力された信号に基づいても動作することができる。なお、マッサージ機構８、第１及び第２アクチュエータ９，１０の動作についても同様に、制御部１５からの指示に従って予め設定されたプログラムにより動作する他、リモートコントローラ１６を使用者が操作することにより制御部１５へ入力された信号に基づいても動作することができる。
【００３４】
また、制御部１５はメモリ（図示せず）を有しており、このメモリには予め定められたコースに従ってマッサージ機構８やエアセルａ１〜ａ９によって使用者に対してマッサージを行う複数のマッサージプログラムが格納されている。そして、リモートコントローラ１６は、電源釦１６ａ、各マッサージプログラムに対応する複数のコース釦１６ｂ〜１６ｅを有しており、コース釦１６ｂ〜１６ｅを操作することにより対応するマッサージプログラムが実行されるようになっている。そして、これらのマッサージプログラムには、後述する動作パターン１〜４の少なくともいずれか１つが含まれている。
【００３５】
以下、マッサージ機の動作について説明する。図７は、マッサージ機１の動作パターン１の説明図である。図８は、マッサージ機１の動作パターン２の説明図である。図９は、マッサージ機１の動作パターン３の説明図である。図１０は、マッサージ機１の動作パターン４の説明図である。図７〜図１０では、使用者の身体を一点鎖線で示している。
【００３６】
［動作パターン１］
動作パターン１は、第１マッサージ部材Ａ１のみを動作させるパターンである。
図７（ａ）に示す背部用エアセルａ１が収縮した状態から背部用エアセルａ１を膨張させると、図７（ｂ）に示すように胴体背面における外側部分が押圧される。このようにマッサージ部材Ａ１を動作させることにより、使用者の胸を開いてストレッチ効果を得ることができる。そして、背部用エアセルａ１の膨張収縮を繰り返すことにより、胴体の筋肉を緊張・弛緩させることができ、ストレッチ効果を更に高めることができる。
【００３７】
［動作パターン２］
動作パターン２は、第１マッサージ部材Ａ１と第２マッサージ部材Ａ２を協働させるパターンである。
図８（ａ）に示す背部用エアセルａ１及び保持用エアセルａ２が収縮した状態から保持用エアセルａ２を膨張させると、図８（ｂ）に示すように使用者の上腕部及び／又は肩部が側方又は略前方から押圧され、保持用エアセルａ２と背凭れ部４の間で胴体が保持される。続いて、図８（ｃ）に示すように、保持用エアセルａ２の膨張状態を維持させた状態で背部用エアセルａ１を膨張させる。
【００３８】
このように各マッサージ部材Ａ１，Ａ２を動作させることにより、胴体全体の前方移動を阻止した状態で、胴体背面における外側部分を前方へ押圧することができ、使用者の胸を十分開いて高いストレッチ効果を得ることができる。そして、背部用エアセルａ１の膨張収縮を繰り返すことにより、胴体の筋肉を緊張・弛緩させることができ、ストレッチ効果を更に高めることができる。なお、背部用エアセルａ１と保持用エアセルａ２の動作順序は、前後し又は同時であってもよく、少なくとも両エアセルａ１，ａ２の膨張状態がオーバーラップしていればよい。
【００３９】
［動作パターン３］
動作パターン３は、第１マッサージ部材Ａ１と第３マッサージ部材Ａ３を協働させるパターンである。
図９（ａ）に示す背部用エアセルａ１及び腰部用エアセルａ３が収縮した状態から腰部用エアセルａ３を膨張させると、図９（ｂ）に示すように使用者の胴体（腰部）が両側方から挟持され、背凭れ部４に胴体が保持される。続いて、図９（ｃ）に示すように、腰部用エアセルａ３の膨張状態を維持させた状態で背部用エアセルａ１を膨張させる。
【００４０】
このように各マッサージ部材Ａ１，Ａ３を動作させることにより、胴体全体の前方移動を阻止した状態で、胴体背面における外側部分を前方へ押圧することができ、使用者の胸を十分開いて高いストレッチ効果を得ることができる。そして、背部用エアセルａ１の膨張収縮を繰り返すことにより、胴体の筋肉を緊張・弛緩させることができ、ストレッチ効果を更に高めることができる。なお、背部用エアセルａ１と腰部用エアセルａ３の動作順序は、前後し又は同時であってもよく、少なくとも両エアセルａ１，ａ３の膨張状態がオーバーラップしていればよい。また、第２マッサージ部材Ａ２である保持用エアセルａ２を合わせて協働させてもよい。
【００４１】
［動作パターン４］
動作パターン４は、第１マッサージ部材Ａ１とマッサージ機構８を協働させるパターンである。
図１０（ａ）に示す背部用エアセルａ１が収縮した状態から背部用エアセルａ１を膨張させると、図１０（ｂ）に示すように胴体背面における外側部分が押圧される。そうすると、使用者の胸が開いた状態となる。続いて、図１０（ｃ）に示すように、背部用エアセルａ１の膨張状態を維持させた状態で、マッサージ機構８を動作させる。マッサージ機構８の動作としては、例えば、進退モータＭ２の駆動による前進動作であることが好ましい。
【００４２】
このように第１マッサージ部材Ａ１及びマッサージ機構８の協働により、第１マッサージ部材Ａ１による胴体背面における外側部分の押圧と、マッサージ機構８による胴体背面における中央部分の押圧と、により、使用者の胸を十分開いて高いストレッチ効果を得ることができる。なお、マッサージ機構８の動作として、進退動作に代えて、又は加えて、昇降動作、揉み動作、及び叩き動作のいずれかを行ってもよい。この場合は、胴体の筋肉を伸ばした状態で、マッサージ機構８により胴体背面に各種マッサージを行うこととなるため、マッサージ効果を更に高めることができる。なお、背部用エアセルａ１とマッサージ機構８の動作順序は、前後し又は同時であってもよく、少なくとも背部用エアセルａ１の膨張状態とマッサージ機構８の動作状態がオーバーラップしていればよい。
【００４３】
［他の実施形態］
以下、本発明の他の実施形態に係るマッサージ機７０の構成について説明する。図１１は、本発明の他の実施形態に係るマッサージ機７０の背凭れ部４を示す図である。図１１は略前方から見た図であり、視認性を考慮して背パッド４１の図示を省略している。なお、先に説明した実施形態と同一の構成については、同一の符号を付してその説明を省略する。
図１１に示すように、第１マッサージ部材Ａ１を支持する支持部材として、背凭れ部４の左右両側から外側方に向かって突出した突出部７１により構成してもよい。この突出部７１の前面７１ａは、背凭れ部４の前面（すなわち背パッド４１の前面）と略面一を形成している。また、突出部７１は、外側端部に側壁７１ｂを有しており、側壁７１ｂには第２マッサージ部材Ａ２としての保持用エアセルａ２が設けられている。また、第３マッサージ部材Ａ３である腰部用エアセルａ３は、背パッド４１ではなく、背凭れ部本体４０に設けられている。
【００４４】
また、本発明のマッサージ機は、図示する形態に限らず、この発明の範囲内において他の形態のものであっても良い。
例えば、マッサージ機は、フットレスト５は備えていなくてもよいし、背凭れ部４とフットレスト５は座部３に対して固定的なものであってもよい。また、座部３とフットレスト５は、マッサージ部材（エアセルａ５〜ａ９）を備えていなくてもよい。また、保持部６３の固定端部６３ａは、底壁６２ａではなく、上腕保持部６２の側壁６２ｂに設けてもよい。また、第１マッサージ部材Ａ１は、保持部６３を省略して背部用エアセルａ１のみで構成してもよい。この場合は、背部用エアセルａ１の外側端部を、肘掛け部６（より具体的には上腕保持部６２）又は突出部７１の前面７１ａに固定すればよい。
【産業上の利用可能性】
【００４５】
本発明は、使用者の胴体背面における外側部分をマッサージでき、胸を十分に開いてストレッチ効果を高めることができるマッサージ機に適用することができる。
【符号の説明】
【００４６】
１  マッサージ機
４  背凭れ部
６  肘掛け部（支持部材）
６３  保持部
６３ａ  固定端部
６３ｂ  自由端部
ａ１  背部用エアセル
ａ２  保持用エアセル
ａ３  腰部用エアセル
Ａ１  第１マッサージ部材
Ａ２  第２マッサージ部材
Ａ３  第３マッサージ部材
【図１】
2014018535.tif 000003
【図２】
2014018535.tif 000004
【図３】
2014018535.tif 000005
【図４】
2014018535.tif 000006
【図５】
2014018535.tif 000007
【図６】
2014018535.tif 000008
【図７】
2014018535.tif 000009
【図８】
2014018535.tif 000010
【図９】
2014018535.tif 000011
【図１０】
2014018535.tif 000012
【図１１】
2014018535.tif 000013